(57)【要約】【課題】タブレットやスマートフォンなどの携帯通信デバイスを遠隔端末として用いる場合でも、見やすく操作し易いリモートデスクトップ環境を提供し得る画面データ中継サーバ、画面データ中継プログラム、及び画面データ中継方法を提供する。【解決手段】画面データ中継サーバ100は、接続先端末20のデスクトップ画面上のアクティブウィンドウを認識する画面構成認識部110と、遠隔端末30の画面サイズを取得する画面サイズ取得部125と、画面サイズ取得部125が取得した画面サイズに基づいて、アクティブウィンドウのサイズ変更を接続先端末20に指示するウィンドウ制御部130と、サイズ変更後のアクティブウィンドウの画面データを接続先端末20から取得し、取得した画面データを遠隔端末30に中継する部分画面切出部120及び部分画面中継部140を備える。【選択図】図２
2018159984.tif 000002
【特許請求の範囲】
【請求項１】
接続先端末のデスクトップ画面を構成する画面データを遠隔端末に中継し、前記遠隔端末に前記デスクトップ画面を表示させる画面データ中継サーバであって、
前記接続先端末のデスクトップ画面上のアクティブウィンドウを認識するアクティブウィンドウ認識部と、
前記遠隔端末の画面サイズを取得する画面サイズ取得部と、
前記画面サイズ取得部が取得した前記画面サイズに基づいて、前記アクティブウィンドウのサイズ変更を前記接続先端末に指示するウィンドウ制御部と、
サイズ変更後の前記アクティブウィンドウの画面データを前記接続先端末から取得し、取得した前記画面データを前記遠隔端末に中継する画面データ中継部と
を備える画面データ中継サーバ。
【請求項２】
前記遠隔端末の画面に表示されている前記アクティブウィンドウ上の所定座標に対する操作を示す操作データを前記遠隔端末から取得する操作データ取得部と、
前記操作データ取得部が取得した前記操作データに基づいて、前記デスクトップ画面の前記アクティブウィンドウ上の座標に変換し、変換した前記操作データを前記接続先端末に送信する座標変換指示部と
を備える請求項１に記載の画面データ中継サーバ。
【請求項３】
前記ウィンドウ制御部は、前記遠隔端末とのセッションが切断された場合、前記アクティブウィンドウをサイズ変更前のサイズに戻すことを前記接続先端末に指示する請求項１または２に記載の画面データ中継サーバ。
【請求項４】
前記画面サイズ取得部は、前記画面サイズを問い合わせる問合せコマンドを前記遠隔端末に送信し、前記問合せコマンドに対する前記遠隔端末からの画面サイズ応答によって前記画面サイズを取得する請求項１乃至３の何れか一項に記載の画面データ中継サーバ。
【請求項５】
前記アクティブウィンドウの切替指示を前記遠隔端末から取得するウィンドウ切替指示取得部と、
前記ウィンドウ制御部は、前記ウィンドウ切替指示取得部が取得した前記切替指示に基づいて、前記アクティブウィンドウの切替を前記接続先端末に指示する請求項１乃至４の何れか一項に記載の画面データ中継サーバ。
【請求項６】
接続先端末のデスクトップ画面を構成する画面データを遠隔端末に中継し、前記遠隔端末に前記デスクトップ画面を表示させる画面データ中継プログラムであって、
コンピュータに、
前記接続先端末のデスクトップ画面上のアクティブウィンドウを認識するアクティブウィンドウ認識処理と、
前記遠隔端末の画面サイズを取得する画面サイズ取得処理と、
取得した前記画面サイズに基づいて、前記アクティブウィンドウのサイズ変更を前記接続先端末に指示するウィンドウ制御処理と、
サイズ変更後の前記アクティブウィンドウの画面データを前記接続先端末から取得し、取得した前記画面データを前記遠隔端末に中継する画面データ中継処理と
を実行させる画面データ中継プログラム。
【請求項７】
接続先端末のデスクトップ画面を構成する画面データを遠隔端末に中継し、前記遠隔端末に前記デスクトップ画面を表示させる画面データ中継方法であって、
前記遠隔端末の画面サイズに基づいて、前記接続先端末のデスクトップ画面上のアクティブウィンドウのサイズ変更を前記接続先端末に指示するステップと、
サイズ変更後の前記アクティブウィンドウの画面データを前記接続先端末から取得し、取得した前記画面データを前記遠隔端末に中継するステップと
を含む画面データ中継方法。
【発明の詳細な説明】
【技術分野】
【０００１】
本発明は、接続先端末のデスクトップ画面を構成する画面データを遠隔端末に中継し、遠隔端末に当該デスクトップ画面を表示させる画面データ中継サーバ、画面データ中継プログラム、及び画面データ中継方法に関する。
【背景技術】
【０００２】
従来、パーソナルコンピュータ（PC）や携帯通信デバイス（以下、遠隔端末）に、接続先のPCなど（以下、接続先端末）のデスクトップ画面を表示させるとともに、遠隔端末から接続先端末のデスクトップ画面を遠隔操作するリモートデスクトップ方式が広く用いられている。
【０００３】
また、接続先端末と遠隔端末との間に中継サーバ（以下、画面データ中継サーバ）を介在させ、画面データ中継サーバを経由してリモートデスクトップ環境を提供するリモートデスクトップ方式も知られている。このようなリモートデスクトップ方式によれば、セキュリティの担保やユーザ管理を実現しつつ、リモートデスクトップ環境を提供できる。
【０００４】
また、近年では、接続先端末のデスクトップ画面上のアクティブウィンドウのみを遠隔端末に表示する方法も実現されている（例えば、非特許文献１）。
【先行技術文献】
【非特許文献】
【０００５】
【非特許文献１】“アクティブウィンドウのみを転送するリモートデスクトップ操作ソフト「Undine」が公開”、［online］、［平成29年2月16日検索］、インターネット<URL：http://forest.watch.impress.co.jp/docs/news/722595.html>
【発明の概要】
【発明が解決しようとする課題】
【０００６】
ところで、近年、タブレットやスマートフォンなどの携帯通信デバイスが広く普及し、リモートデスクトップ方式の遠隔端末として、携帯通信デバイスが利用されるケースが増大している。
【０００７】
しかしながら、携帯通信デバイスでは、PCと比較して画面サイズが小さいため、接続先端末のデスクトップ画面をそのまま転送すると、携帯通信デバイスの画面では縮小された状態で表示されるため、とても見づらく、操作もしづらくなる。
【０００８】
また、非特許文献１に記載されているように、アクティブウィンドウのみを遠隔端末に表示したとしても、アクティブウィンドウのサイズが大きければ、やはり携帯通信デバイスの画面では、縮小された状態で表示されてしまうため、同様の問題がある。
【０００９】
そこで、本発明は、このような状況に鑑みてなされたものであり、タブレットやスマートフォンなどの携帯通信デバイスを遠隔端末として用いる場合でも、見やすく操作し易いリモートデスクトップ環境を提供し得る画面データ中継サーバ、画面データ中継プログラム、及び画面データ中継方法の提供を目的とする。
【課題を解決するための手段】
【００１０】
本発明の一態様は、接続先端末のデスクトップ画面を構成する画面データを遠隔端末に中継し、前記遠隔端末に前記デスクトップ画面を表示させる画面データ中継サーバであって、前記接続先端末のデスクトップ画面上のアクティブウィンドウを認識するアクティブウィンドウ認識部と、前記遠隔端末の画面サイズを取得する画面サイズ取得部と、前記画面サイズ取得部が取得した前記画面サイズに基づいて、前記アクティブウィンドウのサイズ変更を前記接続先端末に指示するウィンドウ制御部と、サイズ変更後の前記アクティブウィンドウの画面データを前記接続先端末から取得し、取得した前記画面データを前記遠隔端末に中継する画面データ中継部とを備える。
【００１１】
本発明の一態様は、接続先端末のデスクトップ画面を構成する画面データを遠隔端末に中継し、前記遠隔端末に前記デスクトップ画面を表示させる画面データ中継プログラムであって、コンピュータに、前記接続先端末のデスクトップ画面上のアクティブウィンドウを認識するアクティブウィンドウ認識処理と、前記遠隔端末の画面サイズを取得する画面サイズ取得処理と、取得した前記画面サイズに基づいて、前記アクティブウィンドウのサイズ変更を前記接続先端末に指示するウィンドウ制御処理と、サイズ変更後の前記アクティブウィンドウの画面データを前記接続先端末から取得し、得した前記画面データを前記遠隔端末に中継する画面データ中継処理とを実行させる。
【００１２】
本発明の一態様は、接続先端末のデスクトップ画面を構成する画面データを遠隔端末に中継し、前記遠隔端末に前記デスクトップ画面を表示させる画面データ中継方法であって、前記遠隔端末の画面サイズに基づいて、前記接続先端末のデスクトップ画面上のアクティブウィンドウのサイズ変更を前記接続先端末に指示するステップと、サイズ変更後の前記アクティブウィンドウの画面データを前記接続先端末から取得し、取得した前記画面データを前記遠隔端末に中継するステップと
を含む。
【発明の効果】
【００１３】
本発明に係る画面データ中継サーバ、画面データ中継プログラム、及び画面データ中継方法によれば、タブレットやスマートフォンなどの携帯通信デバイスを遠隔端末として用いる場合でも、見やすく操作し易いリモートデスクトップ環境を提供し得る。
【図面の簡単な説明】
【００１４】
【図１】図１は、リモート接続システム10の全体概略構成図である。
【図２】図２は、画面データ中継サーバ100の機能ブロック構成図である。
【図３】図３は、接続先端末20の機能ブロック構成図である。
【図４】図４は、遠隔端末30の機能ブロック構成図である。
【図５】図５は、遠隔端末30に接続先端末20のアクティブウィンドウを表示するための制御シーケンスを示す図である。
【図６】図６は、図６（ａ）及び（ｂ）は、接続先端末20のデスクトップ画面例を示す図である。
【図７】図７（ａ）及び（ｂ）は、遠隔端末30の画面例を示す図である。
【発明を実施するための形態】
【００１５】
以下、実施形態を図面に基づいて説明する。なお、同一の機能や構成には、同一または類似の符号を付して、その説明を適宜省略する。
【００１６】
（１）リモート接続システムの全体概略構成
図１は、本実施形態に係るリモート接続システム10の全体概略構成図である。図１に示すように、リモート接続システム10は、接続先端末20、遠隔端末30及び画面データ中継サーバ100によって構成される。接続先端末20と画面データ中継サーバ100とは、通信ネットワーク40Aを介して接続される。また、遠隔端末30と画面データ中継サーバ100とは、通信ネットワーク40Bを介して接続される。
【００１７】
通信ネットワーク40A及び通信ネットワーク40Bは、VPNなどの専用ネットワークであってもよいし、インターネットなどの公衆ネットワークであってもよい。なお、接続先端末20と画面データ中継サーバ100との通信、及び遠隔端末30と画面データ中継サーバ100との通信は、暗号化することができる。
【００１８】
接続先端末20は、画面データ中継サーバ100を経由して、遠隔端末30によって遠隔制御される端末である。接続先端末20は、典型的には、Windows（登録商標）などのオペレーティングシステムがインストールされたパーソナルコンピュータ（PC）である。
【００１９】
遠隔端末30は、画面データ中継サーバ100を経由して、接続先端末20のデスクトップ画面を表示したり、遠隔端末30に表示された当該デスクトップ画面に対する遠隔操作を実行したりする。すなわち、遠隔端末30は、画面データ中継サーバ100を経由して、リモートデスクトップ環境を提供する。本実施形態では、遠隔端末30は、タブレットやスマートフォンなどの携帯通信デバイスが利用されることを想定する。
【００２０】
画面データ中継サーバ100は、接続先端末20のデスクトップ画面を構成する画面データを遠隔端末30に中継し、遠隔端末30にデスクトップ画面を表示させる。また、画面データ中継サーバ100は、遠隔端末30から取得した当該デスクトップ画面に対する操作データ（ポインタやキーボードによる入力データ）を取得し、接続先端末20に送信する。
【００２１】
（２）リモート接続システムの機能ブロック構成
次に、リモート接続システム10の機能ブロック構成について説明する。具体的には、接続先端末20、遠隔端末30及び画面データ中継サーバ100の機能ブロック構成について説明する。
【００２２】
（２．１）画面データ中継サーバ100
図２は、画面データ中継サーバ100の機能ブロック構成図である。図２に示すように、画面データ中継サーバ100は、画面構成認識部110、部分画面切出部120、画面サイズ取得部125、ウィンドウ制御部130、ウィンドウ切替指示取得部135、部分画面中継部140、操作データ取得部150及び座標変換指示部160を備える。
【００２３】
なお、画面データ中継サーバ100は、CPU及びメモリなどのハードウェアを有しており、上述した各機能部は、当該ハードウェア上においてコンピュータプログラム（ソフトウェア）を実行することによって実現される。
【００２４】
画面構成認識部110は、接続先端末20のデスクトップ画面の構成を認識する。具体的には、画面構成認識部110は、接続先端末20のデスクトップ画面上のアクティブウィンドウを認識する。本実施形態において、画面構成認識部110は、特許請求の範囲に記載のアクティブウィンドウ認識部を構成する。
【００２５】
より具体的には、画面構成認識部110は、接続先端末20から送信されたデスクトップ画面の画面データの中から、入力などの操作が可能な最前面に表示されているウィンドウを特定することによって、当該デスクトップ画面上のアクティブウィンドウを認識する。
【００２６】
部分画面切出部120は、画面構成認識部110によって認識されたアクティブウィンドウをデスクトップ画面の中から切り出す。つまり、部分画面切出部120は、当該デスクトップ画面を構成する複数のウィンドウのうち、アクティブウィンドウのみを切り出す。
【００２７】
また、部分画面切出部120は、ウィンドウ制御部130からの指示によってサイズが変更されたアクティブウィンドウの画面データを部分画面中継部140に出力する。つまり、部分画面切出部120は、サイズ変更後のアクティブウィンドウの画面データを、画面構成認識部110を介して接続先端末20から取得し、取得した画面データを部分画面中継部140に出力する。
【００２８】
画面サイズ取得部125は、遠隔端末30の画面サイズを取得する。具体的には、画面サイズ取得部125は、遠隔端末30の画面サイズを問い合わせる問合せコマンドを遠隔端末30に送信する。また、画面サイズ取得部125は、当該問合せコマンドに対する遠隔端末30からの画面サイズ応答によって画面サイズを取得する。例えば、画面サイズ取得部125は、遠隔端末30の画面サイズが８インチであった場合、８インチであることを示す画面サイズ応答を取得してもよいし、具体的なサイズ（例えば、縦：17.2cm、横：10.8cm）を直接取得してもよい。
【００２９】
また、画面サイズ取得部125は、遠隔端末30の画面サイズを記憶しておいてもよい。つまり、画面サイズ取得部125は、遠隔端末30に対して問合せコマンドを送信することなく、遠隔端末30とのセッションが確立した場合などに、遠隔端末30の機種を判定し、画面サイズを取得してもよい。
【００３０】
ウィンドウ制御部130は、接続先端末20のデスクトップ画面上のウィンドウに対する制御を実行する。具体的には、ウィンドウ制御部130は、画面サイズ取得部125が取得した遠隔端末30の画面サイズに基づいて、アクティブウィンドウのサイズ変更を接続先端末20に指示する。
【００３１】
例えば、遠隔端末30の画面サイズが８インチ（縦：17.2cm、横：10.8cm程度）であり、アクティブウィンドウのサイズが、縦：25cm、横：40cmであった場合、ウィンドウ制御部130は、８インチのサイズに合致するように、アクティブウィンドウのサイズの縮小指示を接続先端末20に送信する。
【００３２】
また、ウィンドウ制御部130は、遠隔端末30の画素数に応じて、アクティブウィンドウのサイズを変更してもよい。例えば、遠隔端末30の画素数が縦800画素、横600画素である場合、アクティブウィンドウのサイズを当該画素数に合わせて拡大または縮小することができる。さらに、ウィンドウ制御部130は、遠隔端末30の画面の向き（縦向き、横向き）に合わせて、アクティブウィンドウを縦長または横長にサイズに変更することができる。
【００３３】
ウィンドウ制御部130は、サイズ変更前のアクティブウィンドウのサイズを記憶することができる。ウィンドウ制御部130は、遠隔端末30とのセッションが切断された場合、アクティブウィンドウをサイズ変更前のサイズに戻すことを接続先端末20に指示する。これにより、接続先端末20において操作を再開する場合には、接続先端末20の画面サイズに応じたアクティブウィンドウのサイズとすることができる。
【００３４】
なお、遠隔端末30の画面サイズと、接続先端末20のアクティブウィンドウのサイズとの関係から、アクティブウィンドウのサイズ変更が必要ない場合、ウィンドウ制御部130は、サイズ変更の処理を省略する。
【００３５】
さらに、ウィンドウ制御部130は、ウィンドウ切替指示取得部135が取得したアクティブウィンドウの切替指示に基づいて、アクティブウィンドウの切替を接続先端末20に指示することができる。これにより、遠隔端末30から操作対象のアクティブウィンドウ（つまり、アプリケーション）を自由に選択し得る。
【００３６】
ウィンドウ切替指示取得部135は、アクティブウィンドウの切替指示を遠隔端末30から取得する。具体的には、ウィンドウ切替指示取得部135は、遠隔端末30のユーザがよく利用するアプリケーションを選択するためのアイコンを表示したランチャー300（図２において不図示、図６（ａ）を参照）を遠隔端末30の画面の一部に表示することによって、遠隔端末30からアクティブウィンドウの切替指示を取得する。
【００３７】
或いは、ウィンドウ切替指示取得部135は、アクティブウィンドウの切替指示を取得する際には、アクティブウィンドウのみではなく、接続先端末20のデスクトップ画面全体を部分画面中継部140に中継させることによって、遠隔端末30からアクティブウィンドウの切替指示を取得するようにしてもよい。つまり、ウィンドウ切替指示取得部135は、アクティブウィンドウ以外の他のウィンドウが選択されたことを示す切替指示を取得する。
【００３８】
部分画面中継部140は、部分画面切出部120から出力されたアクティブウィンドウの画面データを遠隔端末30に中継する。本実施形態では、部分画面切出部120及び部分画面中継部140によって、特許請求の範囲に記載の画面データ中継部が構成される。具体的には、部分画面中継部140は、当該画面データを含む遠隔端末30宛てのパケットを通信ネットワーク40Bに送信する。
【００３９】
操作データ取得部150は、遠隔端末30の画面に表示されている接続先端末20のアクティブウィンドウ上の所定座標に対する操作を示す操作データを遠隔端末30から取得する。具体的には、操作データ取得部150は、遠隔端末30の入力機能（ポインタ、キーボード及びマウスなど）を介して当該操作データを取得する。
【００４０】
操作データは、典型的には、所定座標に対するクリック（左ボタン押下）、ドラッグ及びメニュー表示（右ボタン押下）が挙げられる。
【００４１】
座標変換指示部160は、操作データ取得部150が取得した操作データに基づいて、接続先端末20のデスクトップ画面のアクティブウィンドウ上における座標に変換する。また、座標変換指示部160は、変換した操作データを接続先端末20に送信する。
【００４２】
例えば、遠隔端末30に表示されているアクティブウィンドウ上の座標が（x1, y1）であった場合、座標変換指示部160は、接続先端末20のデスクトップ画面上における当該アクティブウィンドウの座標（x2, x2）に変換する。
【００４３】
つまり、座標変換指示部160は、座標（x1, y1）に基づいて、デスクトップ画面において当該座標と対応する座標（x2, x2）を算出し、座標（x2, x2）に対する操作データを接続先端末20に送信する。
【００４４】
（２．２）接続先端末20
図３は、接続先端末20の機能ブロック構成図である。図３に示すように、接続先端末20は、画面データ転送部21、ウィンドウ操作実行部23及びディスプレイ25を備える。
【００４５】
なお、接続先端末20は、CPU及びメモリなどのハードウェアを有しており、画面データ転送部21及びウィンドウ操作実行部23は、当該ハードウェア上においてコンピュータプログラム（ソフトウェア）を実行することによって実現される。
【００４６】
画面データ転送部21は、接続先端末20のデスクトップ画面の画面データを画面データ中継サーバ100に転送する。具体的には、画面データ転送部21は、当該画面データを含む画面データ中継サーバ100宛てのパケットを通信ネットワーク40Aに送信する。
【００４７】
ウィンドウ操作実行部23は、画面データ中継サーバ100からの指示に基づいて、デスクトップ画面のウィンドウに対する操作を実行する。具体的には、ウィンドウ操作実行部23は、アクティブウィンドウのサイズ変更の指示に基づいて、アクティブウィンドウのサイズを変更する。
【００４８】
また、ウィンドウ操作実行部23は、アクティブウィンドウの切替指示に基づいて、アクティブウィンドウの切替を実行する。
【００４９】
ディスプレイ25は、デスクトップ画面などを表示する。ディスプレイ25のサイズは、接続先端末20の性能などによるが、デスクトップ型であれば、２１〜２７インチ程度、ノート型であれば、１２〜１７インチ程度である。また、解像度としては、典型的には、1920×1080、1366×768または1024×768などである。但し、このような値に限定されるものではない。
【００５０】
（２．３）遠隔端末30
図４は、遠隔端末30の機能ブロック構成図である。図４に示すように、遠隔端末30は、ディスプレイ31、入力機能部33、画面表示処理部35及び操作入力処理部37を備える。
【００５１】
なお、遠隔端末30は、CPU及びメモリなどのハードウェアを有しており、入力機能部33（ソフトウェアの場合）、画面表示処理部35及び操作入力処理部37は、当該ハードウェア上においてコンピュータプログラム（ソフトウェア）を実行することによって実現される。
【００５２】
ディスプレイ31は、接続先端末20のアクティブウィンドウなどを表示する。ディスプレイ31のサイズは、遠隔端末30の種別によるが、タブレットであれば、７〜１２インチ程度、スマートフォンであれば、４〜５．５インチ程度である。但し、このような値に限定されるものではない。
【００５３】
入力機能部33は、遠隔端末30のユーザによる入力操作を取得する。具体的には、入力機能部33は、ポインタ、キーボード及びマウスなどである。なお、キーボード及びマウスは、ハードウェアで実現してもよいし、ディスプレイ31の画面上に仮想的に表示されるソフトウェアによって実現してもよい。
【００５４】
入力機能部33は、取得した操作データを操作入力処理部37に出力する。
【００５５】
画面表示処理部35は、画面データ中継サーバ100から転送されたアクティブウィンドウの画面データを処理する。具体的には、画面表示処理部35は、当該画面データに基づいて、アクティブウィンドウをディスプレイ31に表示させる処理を実行する。
【００５６】
操作入力処理部37は、入力機能部33によって取得された入力操作に伴う処理を実行する。具体的には、操作入力処理部37は、入力機能部33によって取得された操作データに基づいて、画面表示処理に用いられるデータを画面表示処理部35に出力する。
【００５７】
また、操作入力処理部37は、入力機能部33によって取得された操作データに基づいて、アクティブウィンドウに対する操作データを画面データ中継サーバ100に送信する。
【００５８】
（３）リモート接続システムの動作
次に、上述したリモート接続システム10の動作について説明する。具体的には、画面データ中継サーバ100を経由した接続先端末20のアクティブウィンドウの表示及び制御動作について説明する。
【００５９】
図５は、遠隔端末30に接続先端末20のアクティブウィンドウを表示するための制御シーケンスを示す。図６（ａ）及び（ｂ）は、接続先端末20のデスクトップ画面例を示す。また、図７（ａ）及び（ｂ）は、遠隔端末30の画面例を示す。
【００６０】
図５に示すように、接続先端末20に対するリモート接続を実行するため、接続先端末20及び遠隔端末30は、画面データ中継サーバ100とのセッションをそれぞれ確立する（S10及びS20）。これにより、リモート接続の状態は、スタンバイ状態から接続状態になる。
【００６１】
当該セッションの確立後、画面データ中継サーバ100は、接続先端末20に対してデスクトップ画面の画面データの送信を要求する（S30）。ここで、接続先端末20には、図６（ａ）に示すように、ディスプレイ25の画面25Aに、ウィンドウ200A（ウィンドウA）, 200B（ウィンドウB）及び200C（ウィンドウC）の３つのウィンドウ（アプリケーション）が表示されており、ウィンドウ200Aがアクティブウィンドウである。
【００６２】
また、接続先端末20のデスクトップ画面には、特定のアプリケーションを選択するためのランチャー300が表示されている。上述したように、画面データ中継サーバ100は、遠隔端末30からのアクティブウィンドウの切替を実現するため、ランチャー300の部分を遠隔端末30にアクティブウィンドウとともに表示させるようにしてもよいし、アクティブウィンドウの切替時のみ、画面25Aに表示されているデスクトップ画面全体を遠隔端末30に表示させるようにしてもよい。
【００６３】
接続先端末20は、デスクトップ画面をキャプチャーし、キャプチャーした画面データを画面データ中継サーバ100に送信する（S40）。
【００６４】
画面データ中継サーバ100は、遠隔端末30の画面サイズを問い合わせる（S50）。具体的には、画面データ中継サーバ100は、遠隔端末30の画面サイズを問い合わせる問合せコマンドを遠隔端末30に送信する。
【００６５】
遠隔端末30は、画面サイズの問合せに応答し、遠隔端末30の画面サイズを画面データ中継サーバ100に通知する（S60）。具体的には、遠隔端末30は、画面サイズを示す画面サイズ応答を画面データ中継サーバ100に送信する。
【００６６】
画面データ中継サーバ100は、遠隔端末30の画面サイズに基づいて、アクティブウィンドウのサイズ変更を接続先端末20に指示する（S70）。
【００６７】
具体的には、画面データ中継サーバ100は、ウィンドウ200A, 200B及び200Cのうち、ウィンドウ200Aが最前面に表示されていることに基づいて、ウィンドウ200Aがアクティブウィンドウであることを認識する。
【００６８】
画面データ中継サーバ100は、ウィンドウ200Aのサイズ（縦横のサイズ）と、遠隔端末30の画面サイズとに基づいて、当該画面サイズに合致するように、アクティブウィンドウのサイズの縮小指示を接続先端末20に送信する。
【００６９】
接続先端末20は、アクティブウィンドウのサイズ変更の指示に基づいてアクティブウィンドウのサイズを変更し、変更後の画面データを画面データ中継サーバ100に送信する（S80）。また、画面データ中継サーバ100は、変更前のアクティブウィンドウのサイズを記憶する。
【００７０】
図６（ｂ）は、当該サイズ変更の指示に基づいてウィンドウA（アクティブウィンドウ）のサイズが変更されたウィンドウ210Aが表示されている。なお、リモート接続が開始された場合、接続先端末20の画面25Aには、当該ウィンドウは表示せずに、ログイン画面などが表示されてもよい。
【００７１】
画面データ中継サーバ100は、サイズ変更されたアクティブウィンドウの画面データのみを遠隔端末30に送信する（S90）。この結果、遠隔端末30には、接続先端末20のアクティブウィンドウのみが表示される。
【００７２】
具体的には、図７（ａ）に示すように、ディスプレイ31の画面31Aには、ディスプレイ31のサイズに応じたウィンドウ210Aが表示される。また、遠隔端末30が図７（ａ）に示されている縦向き（つまり、縦長の画面）から、横向きに傾けられた場合、図７（ｂ）に示すように、横長の画面に合わせた状態にウィンドウ210Aのサイズが変更されてもよい。
【００７３】
なお、このように遠隔端末30が縦向きから横向き（或いはその逆）に傾けられた場合、遠隔端末30は、S60の処理と同様に、遠隔端末30が傾けられることによって変更された画面サイズ（横長または縦長）を自主的に画面データ中継サーバ100に通知するようにしてもよい。
【００７４】
ディスプレイ31にウィンドウ210Aが表示された後、遠隔端末30は、遠隔端末30の入力機能部33を介して入力された操作データ（マウス・キーボード操作データ）を画面データ中継サーバ100に送信する（S100）。具体的には、遠隔端末30は、ウィンドウA（アクティブウィンドウ）上の所定座標に対する操作を示す操作データを画面データ中継サーバ100に送信する。
【００７５】
画面データ中継サーバ100は、取得した操作データに基づいて、接続先端末20のデスクトップ画面のアクティブウィンドウ上における座標に変換し、変換した操作データ（マウス・キーボード操作データ）を接続先端末20に送信する（S110）。
【００７６】
その後、遠隔端末30は、リモート接続を終了するため、セッションの切断要求を画面データ中継サーバ100に送信する（S120）。
【００７７】
画面データ中継サーバ100は、ステップS40において記憶したサイズ変更前のアクティブウィンドウのサイズに基づいて、アクティブウィンドウをサイズ変更前のサイズに戻すことを接続先端末20に指示する（S130）。
【００７８】
この結果、ウィンドウA（アクティブウィンドウのサイズは、ウィンドウ210A（図６（ｂ）参照）からウィンドウ200A（図６（ａ）参照）に復帰する。また、リモート接続の状態は、スタンバイ状態になる。
【００７９】
（４）作用・効果
上述した実施形態によれば、以下の作用効果が得られる。画面データ中継サーバ100によれば、画面構成認識部110は、接続先端末20のデスクトップ画面上のアクティブウィンドウを認識する。また、ウィンドウ制御部130は、画面サイズ取得部125が取得した遠隔端末30の画面サイズに基づいて、当該アクティブウィンドウのサイズ変更を接続先端末20に指示する。さらに、部分画面中継部140は、サイズ変更後のアクティブウィンドウの画面データを遠隔端末30に中継する。
【００８０】
このため、画面サイズが小さいタブレットやスマートフォンなどの携帯通信デバイスを遠隔端末30として用いる場合でも、見やすく操作し易いリモートデスクトップ環境を提供し得る。
【００８１】
つまり、遠隔端末30の画面31Aのサイズが、接続先端末20の画面25Aのサイズよりも小さい場合でも、アクティブウィンドウのみが画面31Aに表示されるため、アクティブウィンドウの表示が小さ過ぎる状態を回避できる。さらに、アクティブウィンドウのサイズは、遠隔端末30の画面31Aのサイズに調整されるため、画面31A全体を活用してアクティブウィンドウを表示できる。
【００８２】
すなわち、リモート接続システム10によれば、遠隔端末30がタブレットやスマートフォンなどの携帯通信デバイスの場合でも、使い勝手を極力損ねることなく、リモートデスクトップ環境を提供できる。
【００８３】
本実施形態では、画面データ中継サーバ100の座標変換指示部160は、操作データ取得部150が取得した操作データを、デスクトップ画面のアクティブウィンドウ上の座標に変換し、変換した操作データを接続先端末20に送信することができる。このため、アクティブウィンドウのみが遠隔端末30の画面31Aに表示されている場合でも、接続先端末20のデスクトップ画面のアクティブウィンドウに対する操作を確実に実行することができる。
【００８４】
本実施形態では、画面データ中継サーバ100のウィンドウ制御部130は、遠隔端末30とのセッションが切断された場合、アクティブウィンドウをサイズ変更前のサイズに戻すことができる。このため、遠隔端末30によるリモート接続が終了し、接続先端末20で操作を再開する場合には、接続先端末20の画面25Aのサイズに応じたウィンドウサイズに復帰させることができる。
【００８５】
本実施形態では、画面データ中継サーバ100の画面サイズ取得部125は、画面サイズを問い合わせる問合せコマンドに対する遠隔端末30からの画面サイズ応答によって遠隔端末30の画面サイズを取得することができる。このため、遠隔端末30の画面サイズに応じた適切なアクティブウィンドウのサイズをより確実に設定できる。
【００８６】
本実施形態では、画面データ中継サーバ100のウィンドウ制御部130は、ウィンドウ切替指示取得部135が取得したアクティブウィンドウの切替指示に基づいて、アクティブウィンドウの切替を接続先端末20に指示することができる。具体的には、ウィンドウ切替指示取得部135は、ランチャー300（図６（ａ）及び（ｂ）参照）などを用いてアクティブウィンドウの切替指示を取得することできる。このため、ほぼアクティブウィンドウのみが遠隔端末30の画面31Aに表示されている場合でも、ユーザの意思によって容易にアクティブウィンドウを切り替えることができる。
【００８７】
（５）その他の実施形態
以上、実施形態に沿って本発明の内容を説明したが、本発明はこれらの記載に限定されるものではなく、種々の変形及び改良が可能であることは、当業者には自明である。
【００８８】
例えば、上述した実施形態では、遠隔端末30は、タブレットやスマートフォンなどの携帯通信デバイスが想定されていたが、遠隔端末30は、必ずしもこのような携帯通信デバイスに限定されるものではなく、ノート型或いはデスクトップ型のPCでも構わない。
【００８９】
また、上述した実施形態では、通常、画面25Aに表示されているウィンドウ200Aのサイズよりも遠隔端末30の画面サイズが小さいため、ウィンドウ200Aの縮小指示を接続先端末20に送信するが、ウィンドウ200A（アクティブウィンドウ）のサイズが遠隔端末30の画面サイズのサイズよりも小さい場合には、ウィンドウ200Aのサイズを引き延ばす拡大指示を接続先端末20に送信してもよい。
【００９０】
さらに、上述した実施形態では、接続先端末20と画面データ中継サーバ100とは、通信ネットワーク40Aを介して接続され、遠隔端末30と画面データ中継サーバ100とは、通信ネットワーク40Bを介して接続されていたが、リモート接続システム10は、企業内ネットワークなどの閉域網内で構成されても構わない。
【００９１】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００９２】
10  リモート接続システム
20  接続先端末
21  画面データ転送部
23  ウィンドウ操作実行部
25  ディスプレイ
25A  画面
30  遠隔端末
31  ディスプレイ
31A  画面
33  入力機能部
35  画面表示処理部
37  操作入力処理部
40A, 40B  通信ネットワーク
100  画面データ中継サーバ
110  画面構成認識部
120  部分画面切出部
125  画面サイズ取得部
130  ウィンドウ制御部
135  ウィンドウ切替指示取得部
140  部分画面中継部
150  操作データ取得部
160  座標変換指示部
200A, 210A  ウィンドウ
300  ランチャー
【図１】
2018159984.tif 000003
【図２】
2018159984.tif 000004
【図３】
2018159984.tif 000005
【図４】
2018159984.tif 000006
【図５】
2018159984.tif 000007
【図６】
2018159984.tif 000008
【図７】
2018159984.tif 000009
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
接続先端末のデスクトップ画面を構成する画面データを遠隔端末に中継し、前記遠隔端末に前記デスクトップ画面を表示させる画面データ中継サーバであって、
前記接続先端末のデスクトップ画面上のアクティブウィンドウを認識するアクティブウィンドウ認識部と、
前記遠隔端末の画面サイズを取得する画面サイズ取得部と、
前記画面サイズ取得部が取得した前記画面サイズに基づいて、前記アクティブウィンドウのサイズ変更を前記接続先端末に指示するウィンドウ制御部と、
サイズ変更後の前記アクティブウィンドウの画面データを前記接続先端末から取得し、取得した前記画面データを前記遠隔端末に中継する画面データ中継部と
を備え、
前記ウィンドウ制御部は、前記遠隔端末とのセッションが切断された場合、前記アクティブウィンドウをサイズ変更前のサイズに戻すことを前記接続先端末に指示する画面データ中継サーバ。
【請求項２】
前記遠隔端末の画面に表示されている前記アクティブウィンドウ上の所定座標に対する操作を示す操作データを前記遠隔端末から取得する操作データ取得部と、
前記操作データ取得部が取得した前記操作データに基づいて、前記デスクトップ画面の前記アクティブウィンドウ上の座標に変換し、変換した前記操作データを前記接続先端末に送信する座標変換指示部と
を備える請求項１に記載の画面データ中継サーバ。
【請求項３】
前記画面サイズ取得部は、前記画面サイズを問い合わせる問合せコマンドを前記遠隔端末に送信し、前記問合せコマンドに対する前記遠隔端末からの画面サイズ応答によって前記画面サイズを取得する請求項１または２に記載の画面データ中継サーバ。
【請求項４】
前記アクティブウィンドウの切替指示を前記遠隔端末から取得するウィンドウ切替指示取得部を備え、
前記ウィンドウ制御部は、前記ウィンドウ切替指示取得部が取得した前記切替指示に基づいて、前記アクティブウィンドウの切替を前記接続先端末に指示する請求項１乃至３の何れか一項に記載の画面データ中継サーバ。
【請求項５】
接続先端末のデスクトップ画面を構成する画面データを遠隔端末に中継し、前記遠隔端末に前記デスクトップ画面を表示させる画面データ中継プログラムであって、
コンピュータに、
前記接続先端末のデスクトップ画面上のアクティブウィンドウを認識するアクティブウィンドウ認識処理と、
前記遠隔端末の画面サイズを取得する画面サイズ取得処理と、
取得した前記画面サイズに基づいて、前記アクティブウィンドウのサイズ変更を前記接続先端末に指示するウィンドウ制御処理と、
サイズ変更後の前記アクティブウィンドウの画面データを前記接続先端末から取得し、取得した前記画面データを前記遠隔端末に中継する画面データ中継処理と
を実行させ、
前記ウィンドウ制御処理では、前記遠隔端末とのセッションが切断された場合、前記アクティブウィンドウをサイズ変更前のサイズに戻すことを前記接続先端末に指示する画面データ中継プログラム。
【請求項６】
接続先端末のデスクトップ画面を構成する画面データを遠隔端末に中継し、前記遠隔端末に前記デスクトップ画面を表示させる画面データ中継方法であって、
前記遠隔端末の画面サイズに基づいて、前記接続先端末のデスクトップ画面上のアクティブウィンドウのサイズ変更を前記接続先端末に指示するステップと、
サイズ変更後の前記アクティブウィンドウの画面データを前記接続先端末から取得し、取得した前記画面データを前記遠隔端末に中継するステップと、
前記遠隔端末とのセッションが切断された場合、前記アクティブウィンドウをサイズ変更前のサイズに戻すことを前記接続先端末に指示するステップと
を含む画面データ中継方法。